(57)【要約】      （修正有）【課題】メモ用紙や粘着テープ等を内蔵した携帯に便利なカートリッジ付筆記具を提供する。【解決手段】メモ用紙や粘着テープ等をロール状にしてカートリッジ（１２）内に収納し、そのカートリッジをボールペンやシャープペン等の筆記具芯軸に差し込むことで、カートリッジを筆記具芯軸に取り付ける。更に、ロール状のメモ用紙や粘着テープ等を切るカッター機能、ロール巻き戻り防止機能、粘着テープ等を用いたときのテープ先端剥離機能等を取り付けてもよい。【選択図】図３
2011056933.tif 000002
【特許請求の範囲】
【請求項１】
メモ用紙や粘着テープ等をロール状にしてカートリッジ内に収納し、そのカートリッジをボールペンやシャープペン等の筆記具芯軸に差し込んだことを特徴とするカートリッジ付筆記具。
【請求項２】
カートリッジにロールを切るカッター機能やロール巻き戻り防止機能、粘着テープ等使用時のテープ先端剥離機能を取り付けたことを特徴とする請求項１記載のカートリッジ付筆記具。
【請求項３】
カートリッジの幅を変えることにより複数のカートリッジを装着できることを特徴とする請求項１、２記載のカートリッジ付筆記具。
【発明の詳細な説明】
【技術分野】
【０００１】  本発明は、ロール紙等を収納したカートリッジ付筆記具に関する。
【背景技術】
【０００２】  従来、移動時等においてメモを行う場合、筆記具と手帳やメモ帳などを個々に携帯しているのが一般的である。又、携帯用に小型化した筆記用具もあるが形状によっては使いづらく、短いメモをとる場合でも筆記用具一式を携帯することに変わりはない。
【特許文献１】特開平１１−７８３６５
【発明の開示】
【発明が解決しようとする課題】
【０００３】  移動先などでメモを必要とする場合、筆記具と手帳やメモ帳などを個々に携帯するのはかさばるためできるだけ身軽にしたい。又、ボールペン等にて記載の場合には修正テープを携帯していると便利であり、更にはセロハンテープなども状況により携帯を必要とする場合がある。本発明は、これらの問題点を解決するためになされたものである。
【課題を解決するための手段】
【０００４】  上記問題点を解決するため本発明は、ボールペンやシャープペン等においてペン先と軸芯及び握り部で構成された本体にメモ用紙や粘着テープ等をロール状にしたものをカートリッジに収納し、そのカートリッジを軸芯に差し込み、筆記具として一体を成すよう構成したものである。【０００５】  請求項２記載のカートリッジ付筆記具は、カートリッジに各種機能をもたせたもので、カートリッジを二重構造にすることよりロールを切るためのカッター機能やロール巻き戻り防止機能、粘着テープ等使用時のテープ先端剥離機能を取り付けたカートリッジを軸芯に差し込み、筆記具として一体を成すよう構成したものである。【０００６】  請求項３記載のカートリッジ付筆記具は、カートリッジの幅を変えることにより複数のカートリッジを軸芯に差し込み、筆記具として一体を成すよう構成したものである。
【発明の効果】
【０００７】  以上のように本発明のカートリッジ付筆記具は、筆記部とカートリッジが一体化しており携帯性にすぐれている。又、メモ用紙を単に内蔵できることだけではなく、カートリッジにロールを収納する構造にすることにより、メモ用紙や粘着テープなど様々なものをロール状にすることにより装着でき、カートリッジの交換も容易である。さらに複数のカートリッジを装着することができるので用途の異なるカートリッジを組換えて使用できる。
【発明を実施するための最良の形体】
【０００８】  以下、本発明の実施形態について説明する。実施の形態として３種類がある。
【０００９】第１の実施形態として図面の図１〜図２に従って説明する。
（イ）ペン先（１）、軸芯（２）及び握り部（３）にて筆記部本体（４）とし、軸芯（２）にはカートリッジの回転止め（６）を設ける。
（ロ）カートリッジはロール軸（５）にロール（９）を挿入しプレート（７）で押えた解放式のボビン型及びロール軸（５）にロール（９）を挿入しドラム（８）で覆ったドラム型などを設けてロール（９）状の糊付きメモ用紙や粘着テープを装着する。ドラム型カートリッジには外面にスリット（１０）を設けてそこからロール（９）の先端を出せるようにしたタイプも設ける。
（ハ）筆記部本体（４）にカートリッジを挿入し抜け止めのキャップ（１１）をはめて組み付ける。
（ニ）ロール（９）はボビン型の場合はそのまま引き取って使用し、ドラム型はスリット（１０）から出たロール（９）を引き出すかカートリッジを開けてロール（９）を引き出して使用する。
【００１０】第２の実施形態として図面の図３〜図８に従って説明する。
（イ）第１の実施形態を基としカートリッジ（１２）の構成を外リング（１３）、内リング（１４）、底プレート（１５）と、リングを二重にすることによりロール（９）状のメモ用紙や粘着テープのロールを切るカッター機能やロール巻き戻り防止機能、粘着テープ等使用時のテープ先端剥離機能を設ける。
（ロ）外リング（１３）にカッター（１６）部、剥離板（１７），ロール先端引き出し穴（１８）及び外リング回転制限溝（１９）を設ける。内リング（１４）にロール巻き戻り防止用溝（２０）を数か所設け、外リング回転制限ストッパ（２１）を設ける。
（ハ）粘着テープ等のロール（９）を使用するときは内リング（１４）内に入れテープの先端を内側リング（１４）から外リンク（１３）の間を通しロール先端引き出し穴（１８）から出す。メモ用紙等のロール（９）を装着する場合は内リング（１４）のロール巻き戻り防止用溝（２０）を何ヶ所か通す。
（ニ）使用するときはロール（９）先端を引き出し外リング（１３）のカッター（１６）部を押えながらロール（９）を切る。このことにより粘着テープ等使用時の場合ロール先端が内リング（１４）に貼り付きロール（９）が巻き戻りにくくなる。
（ホ）ロール先端を取り出したい時は外リング（１３）の剥離板（１７）部を押えながら外リング（１３）をカッター（１６）部の方に回転させることにより剥離板（１７）がロールを内リング（１４）から剥がすことになる。
（ヘ）以上により第２の実施形態ではロールの先端はカートリッジ（１２）の外形内に収まるため携帯時などに邪魔にならない。
【００１１】第３の実施形態として図面の図９に従って説明する。
（イ）第１および第２の実施形態を基としカートリッジ（２２）の幅を変更することにより複数のカートリッジ（２２）を装着することができる。
（ロ）複数のカートリッジ（２２）を装着できることにより幅の異なるロール（９）やロール（９）の異なるカートリッジ（２２）を装着できることにより本発明筆記具の用途が広がる。
【図面の簡単な説明】
【００１２】
【図１】本発明の第１の実施形態のボビン型分解図
【図２】本発明の第１の実施形態のドラム型分解図
【図３】本発明の第２の実施形態の全体図
【図４】本発明の第２の実施形態のカートリッジ部縦断面図
【図５】本発明の第２の実施形態の分解図
【図６】本発明の第２の実施形態のロールカット時カートリッジ部横断面図
【図７】本発明の第２の実施形態のロール剥離時カートリッジ部横断面図
【図８】本発明の第２の実施形態の全体後方図
【図９】本発明の第３の実施形態の全体図
【符号の説明】
【００１３】    １  ペン先
２  軸芯
３  握り部
４  筆記部本体
５  ロール軸
６  回転止め
７  プレート
８  ドラム
９  ロール
１０  スリット
１１  キャップ
１２  カートリッジ（第２の実施形態時）
１３  外リング
１４  内リング
１５  底プレート
１６  カッター
１７  剥離板
１８  ロール先端引き出し穴
１９  外リング回転制限溝
２０  ロール巻き戻り防止用溝
２１  外リング回転制限ストッパ
２２  カートリッジ（第３の実施形態時）
２３  ペン芯
２４  ロール先端
【図１】
2011056933.tif 000003
【図２】
2011056933.tif 000004
【図３】
2011056933.tif 000005
【図４】
2011056933.tif 000006
【図５】
2011056933.tif 000007
【図６】
2011056933.tif 000008
【図７】
2011056933.tif 000009
【図８】
2011056933.tif 000010
【図９】
2011056933.tif 000011